【事件の表示】
　特願２００３−５３７３４９「位置情報を提供する方法」拒絶査定不服審判事件〔平成１５年　４月２４日国際公開、ＷＯ０３／３４７６５、平成１７年　３月　３日国内公表、特表２００５−５０６７７９〕について、次のとおり審決する。
【結　論】
　本件審判の請求は、成り立たない。
【理　由】
１．手続きの経緯・本願発明
　　
　本願は、平成１４年１０月１６日（パリ条約による優先権主張２００１年１０月１７日、２００１年１０月３０日、英国（ＧＢ））を国際出願日とする出願であって、平成１８年５月１２日付けで拒絶理由が通知され、同年８月２２日付けで意見書及び手続補正書が提出されたが、平成１９年４月９日付けで拒絶査定がなされ、これに対して同年７月１７日に拒絶査定に対する審判が請求されたものである。
　　
　本願の請求項２０に係る発明は、平成１８年８月２２日付け手続補正書により補正された特許請求の範囲の請求項２０に記載された事項により特定される次のとおりのもの（以下、「本願発明」という。）である。
　
「【請求項２０】
　通信システムを経て位置ミドルウェアサーバと通信するためのユーザ装置であって、
　該ユーザ装置の位置に関する情報の提供に対する要求に関連したメッセージを受信して処理し、
　前記位置ミドルウェアサーバから前記位置に関する情報の提供のために必要とされるデータを収集して記憶する位置サービスサーバに対して前記要求を送信することを許可するメッセージを、前記位置ミドルウェアサーバに送信する、ように構成されている、ことを特徴とするユーザ装置。」
　　
２．引用発明
　
　これに対して、原査定の拒絶の理由に引用された国際公開第９８／５２３７９号（以下、「引用例」という。）には、図面とともに、以下の事項（ア）〜（エ）が記載されている。
　
（ア）
「SUMMARY OF THE INVENTION
　
The present invention addresses the problem of an outsider being able to establish the geographical location of a mobile station with the aid of a mobile locating service. Determination of the geographical location of a mobile constitutes a problem when it takes place against the wishes of the mobile user.」
　
＜訳＞
発明の概要
　
本発明は、モバイル位置サービスの助けにより移動局の地理的位置を外部者が確かめることができる問題に取り組んだものです。移動局の地理的位置を明らかにすることが、その移動局のユーザーの意思に反した場合、問題となります。
　
（イ）
「DESCRIPTION OF PREFERRED EMBODIMENTS
　
The present invention enables the user of a mobile station to prevent an outsider from learning of his geographical location with the aid of a mobile locating service. 
　
Fig. 1 illustrates one such mobile communications system GSM. It is managed by an Operator. The mobile communications system GSM includes a number of mobile stations MS, MS1-MS3. A user Al of the mobile station MS moves freely and is able to communicate via the mobile communications system GSM provided that he is located within the service area of the GSM system. The service area is divided into a number of cells CL1-CL3. Located in each cell CL1-CL3 is a respective radio base station BTS1-BTS3 that can maintain connection with the mobile stations MS, MS1-MS3 within the cell. A number of radio base stations BTS1-BTS3 communicate with a base station controller BSC, said base station controller BSC communicating, in turn, with a mobile services switching centre MSC. The mobile communications system GSM includes at least one GMSC (Gateway Mobile Switching Centre) P which communicates with the remaining mobile switching centres MSC of the mobile communications system. The GMSC P also communicates with a home location register HLR. Each mobile station MS, MS1-MS3, with an subscription to the mobile communications system GSM is registered in the home location register HLR. Also visiting mobile stations with subscriptions in other mobile communications systems are temporarily registered in the home location register HLR. The home location register HLR contains data as to the whereabouts of the mobile stations MS, MS1-MS3 as well as visiting mobile stations. In addition to the home location register HLR, the mobile communications system GSM includes a further subscriber location register, i.e. a visitor location register VLR, containing data relating to the mobile station MS. The visitor location register VLR is connected to the mobile services switching centre MSC. 
　
The mobile communications system GSM is designated the land based part of the mobile communications network, with the exception of the mobile station MS and the radio connection thereto.」（第７頁第２１行〜第８頁第２９行）
　
＜訳＞
好ましい具体例の説明
　
本発明は、移動局のユーザーに、他者がモバイル位置サービスを利用してユーザーの地理的位置を知ることを妨げることを可能とするものです。
　
図１はそのような１つの移動通信システムＧＳＭを例証します。それはオペレータによって管理されます。移動通信システムＧＳＭは多くの移動局ＭＳ（ＭＳ１〜ＭＳ３）を含みます。移動局ＭＳのユーザーＡ１は自由に行動し、もしＧＳＭシステムのサービスエリア内にいれば、移動通信システムＧＳＭによって通信を行うことができます。サービスエリアは多くのセル（ＣＬ１〜ＣＬ３）に分割されます。移動局ＭＳ（セル内のＭＳ１〜ＭＳ３）との接続を維持できるそれぞれの無線基地局ＢＴＳ１〜ＢＴＳ３が各セルＣＬ１〜ＣＬ３に位置します。多くの無線基地局ＢＴＳ１〜ＢＴＳ３は基地局制御装置ＢＳＣと通信します。当該基地局制御装置ＢＳＣは、次に移動サービス交換センターＭＳＣと通信します。移動通信システムＧＳＭは、移動通信システムの残りの移動交換センターＭＳＣと通信する少なくとも１つのＧＭＳＣ（ゲートウェイ移動交換センター）Ｐを含みます。ＧＭＳＣ　ＰはホームロケーションレジスタＨＬＲとも通信します。各移動局ＭＳ（ＭＳ１〜ＭＳ３）は、移動通信システムＧＳＭへの予約により、ホームロケーションレジスタＨＬＲに登録されます。他の移動通信システムに予約されている移動局が訪れたときも一時的にホームロケーションレジスタＨＬＲに登録されます。ホームロケーションレジスタＨＬＲは移動局ＭＳ（訪問している移動局とＭＳ１〜ＭＳ３）の所在に関するデータを保持しています。ホームロケーションレジスタＨＬＲに加えて、移動通信システムＧＳＭは、さらに加入者ロケーションレジスタ、すなわち、移動局ＭＳに関するデータを保持するビジターロケーションレジスタＶＬＲを含んでいます。ビジターロケーションレジスタＶＬＲは移動サービス交換センターＭＳＣと接続されています。
　
移動通信システムＧＳＭは、移動局ＭＳとそこへの無線接続を除き、移動通信ネットワークの一部の領域として呼ばれています。
　　
（ウ）
「The system shown in Fig. 1 includes a mobile locating node MPC connected to the GMSC P. The mobile locating node MPC provides a mobile locating service, which means that the node MPC will establish the location of a mobile station MS, MS1-MS3 in response to a request from a second party A2 in this respect and inform this second party of the geographical position of said mobile station. To this end, there is found a connection between the second party A2 and the mobile locating node MPC, via which the mobile locating node receives the location- finding request M1 and informs the second party of the location of the mobile station in a response M2. 
　
Fig. 2 is a block schematic illustrating an inventive arrangement. In addition to those nodes also shown in Fig. 1, the arrangement includes an indicator I provided in the home location register HLR. The user Al is able to set the indicator I to indicate either one of two states, i.e. a permission granted state or a permission not- granted state. The user Al sets the indicator to the desired state, by stating a code CD via the mobile station. The code CD is sent from the mobile station as though it were a B-number, i.e. the number of a B- subscriber dialled for a call connection. When the code CD has been transferred to the GMSC P, the GMSC P identifies the code CD as a message to the home location register HLR and not as a standard B-number. The GMSC therefore sends the code CD to the home location register HLR. The home location register HLR then sets the indicator to indicate the desired integrity level. 
　
The code CD may be either one of two character combinations denoting either that determining of the location of the mobile is allowed or not allowed. These two character combinations may be *99# and *98#. The transfer of this code to and its registration in HLR are effected analogously with how the call forwarding service is utilized from the mobile station MS. 
　
Fig. 2 illustrates with the aid of an arrow the transfer of a mobile locating command K1 from the location node MPC to the mobile services switching centre MSC via the GMSC P. The command K1 is described more explicitly further on in the text. 
　
Fig. 3 shows a home location register HLR that has been modified by the inclusion of the indicator I. Data concerning the mobile station MS are stored in a number of different information fields in the home location register HLR. The information fields are found with the aid of the mobile station identity DA, among other things. A further information field for storing the indicator I is included on the home location register, as shown in Fig. 3.」（第８頁第３１行〜第１０頁第１２行）
　
＜訳＞
図１に示すシステムは、ＧＭＳＣ　Ｐに接続されるモバイルロケーティングノードＭＰＣを含みます。モバイルロケーティングノードＭＰＣは移動位置サービスを提供します。そのサービスは、ノードＭＰＣが他者Ａ２からの要求に応じて基地局ＭＳ（ＭＳ１〜ＭＳ３）の位置を確かめ、そしてこの他者に該移動局の地理的位置を知らせるものです。このため、モバイルロケーティングノードが位置発見要求Ｍ１を受け、他者に応答Ｍ２により移動局の位置を知らせるように、他者Ａ２とモバイルロケーティングノードＭＰＣとが接続されます。
　
図２は、発明の装置を示すブロック概念図です。図１にも示されるこれらのノードに加えて、装置は、ホームロケーションレジスタＨＬＲに与えられる指標Ｉを含みます。ユーザーＡ１は指標Ｉを２つの状態、すなわち許可状態と非許可状態のうちの１つを指示するために設定します。ユーザーＡ１は移動局からコードＣＤを指定することにより、望む状態に指標を設定します。コードＣＤは、あたかもそれがＢナンバーのように、すなわち、電話接続のためにダイアルされた加入者Ｂのナンバーのように、移動局から送信されます。コードＣＤがＧＭＳＣ　Ｐに送信されると、ＧＭＳＣ　ＰはそのコードＣＤが通常のＢナンバーではなくホームロケーションレジスタＨＬＲへのメッセージと認識します。そして、ＧＭＳＣはコードＣＤをホームロケーションレジスタＨＬＲへ送り、望みの安全度を示すように指標を設定します。
　
コードＣＤは、移動体の位置を明らかにすることを許可するか許可しないかを意味する２つの状態のどちらかとなります。これらの２つの状態は＊９９＃と＊９８＃になります。このコードをＨＬＲに送信して蓄積することは、どのようにサービスに転送される呼が移動局ＭＳから利用されるかということをもたらします。
　
図２は、位置ノードＭＰＣからＧＭＳＣ　Ｐ経由で移動サービス交換センターＭＳＣへモバイルロケ−ティングコマンドＫ１の送信を矢印により図示します。コマンドＫ１については、後ほどさらに明示的に説明します。
　
図３は、指標Ｉを含んで図示されたホームロケーションレジスタＨＬＲを示します。移動局ＭＳに関するデータがホームロケーションレジスタＨＬＲの多くの異なる情報領域に格納されます。情報領域は、移動局識別ＤＡのために、他の情報とともに使用されます。図３に示されるように、指標Ｉを格納するための一層の情報領域がホームロケーションレジスタに含まれます。
　
（エ）
「Fig. 4 is a flowchart illustrating one embodiment of the inventive method, where a second party A2 desires information concerning the location of the mobile station MS. In a first step B1, the second party A2 sends a request M1 to the mobile locating node MPC asking to be informed of the whereabouts of the mobile station MS. 
　
The mobile locating node MPC then sends a command K1 to the mobile switching centre MSC that serves the mobile station MS at that moment in time. The purport of the command K1 is for the switching centre MSC to collect locational data relating to the mobile station MS and send it to the mobile locating node MPC, in accordance B2 in Fig. 4.? The command K1 is sent in the form of a modified SMS message addressed to the mobile station MS, as described in SE 9700522-7. 
　
The command K1 reaches the mobile communications system via the GMSC P, which identifies the command K1 as being a location-finding command. The GMSC P asks the home location register HLR for routing information, so as to be able to forward the command K1. The GMSC P indicates in the request that the routing information is intended for a mobile locating command K1. Upon receipt of the request, the home location register HLR reads the register HLR indicator I and provides the requested routing information, provided that the indicator indicates that it is allowed to divulge the geographical location of the mobile. This is corresponded by a step B3 in Fig. 4, i.e. the step in which the mobile locating state of the indicator is checked. If mobile locating is allowed, i.e. Yes to the question in step B3 of Figure 4, the command K1 is forwarded to the GMSC P to the mobile switching centre MSC. 
　
The switching centre begins to collect locational data relating to the mobile station MS, upon receipt of the command K1. The collected locational data is then sent to the mobile locating node MPC, in accordance with step B4. 
　
The mobile locating node MPC then establishes the location of the mobile station MS with the aid of the locational data received, and presents the result to the second party A2 in a message M2, in accordance with step B5. 
　
Should the answer to the question in step B3 be No, locating of the mobile is not allowed, as is the case when the indicator I in the home location register HLR indicates that location-finding is not allowed, no mobile locating procedure is carried out. Instead a message is sent to the mobile locating node MPC to the effect that permission to divulge the location of the mobile station MS is not given, in accordance with step B6. Instead of sending routing information, the home location register HLR sends a message to the GMSC P to the effect that the information requested cannot be given, because divulgence of the location of the mobile station MS is not permitted. GMSC P sends to the mobile location node MPC a message to the effect that the location of the mobile station MS has not been determined because permission is lacking. 
　
The mobile locating node MPC then sends a message to the second party A2 to the effect that the location of the mobile station MS cannot be divulged, because permission is lacking in this respect, in accordance with step B7.」（第１０頁第１４行〜第１２頁第８行）
　
＜訳＞
図４は、発明の方法の１つの具体例を図示するフローチャートです。ここでは、他者Ａ２が移動局ＭＳの位置に関する情報を望んでいます。最初のステップＢ１では、他者Ａ２が移動局ＭＳの位置を知らされるように要求するモバイルロケーションノードＭＰＣにリクエストＭ１を送信します。
　
その後、モバイルロケーションノードＭＰＣは、移動局ＭＳを扱うモバイル交換センターＭＳＣに、その時時間的に間に合うようにコマンドＫ１を送信します。コマンドＫ１の目的は、図４のＢ２のとおり、交換センターＭＳＣが移動局ＭＳに関する位置データを集めるようにすることと、それをモバイルロケーションノードＭＰＣに送るようにすることです。コマンドＫ１はＳＥ９７００５２２−７で記述された移動局ＭＳ宛てのＳＭＳメッセージを改良した形式で送られます。
　
コマンドＫ１はＧＭＳＣ　Ｐ経由で移動通信システムに到達します。ＧＭＳＣ　ＰはコマンドＫ１を位置発見コマンドとして認識します。ＧＭＳＣ　Ｐは、コマンドＫ１を転送することができるように、ホームロケーションレジスタＨＬＲにルーティング情報を要求します。ＧＭＳＣ　Ｐはその要求において、そのルーティング情報がモバイルロケーティングコマンドＫ１のために使われることを示します。ホームロケーションレジスタＨＬＲは、その要求を受け取ると、レジスタＨＬＲの指標Ｉを読み込み、もしその指標が、その移動体の地理的位置を明かすことを許すことを示すものであれば、要求されたルーティング情報を与えます。これは、図４のステップＢ３、すなわち、その指標のモバイルロケーティング状態がチェックされるステップに相当します。もし、モバイル位置が許されるならば、すなわち、図４のステップＢ３での質問に対してＹｅｓならば、コマンドＫ１はＧＭＳＣ　Ｐからモバイル交換センターＭＳＣに転送されます。
　
交換センターは、コマンドＫ１を受信して、移動局ＭＳに関する位置データを集め始めます。そして、集められた位置データは、ステップＢ４のように、モバイルロケーティングノードＭＰＣに送信されます。
　
その後、モバイルロケーティングノードＭＰＣは、受信した位置データを基に移動局ＭＳの位置を明確化し、ステップＢ５のように、メッセージＭ２によって他者Ａ２にその結果を提示します。
　
万一、ステップＢ３の質問に対してＮｏであれば、ホームロケーションレジスタＨＬＲ中の指標Ｉは位置発見を許さないことを示し、モバイルロケーティング手順が実行されないということであるから、移動体の位置は許可されません。その代わりに、ステップＢ６のように、移動局ＭＳの位置を明かす許可は与えられないという意味のメッセージがモバイルロケーティングノードＭＰＣに送られます。ホームロケーションレジスタＨＬＲは、移動局ＭＳの位置を明かすことは許されないため、ルーティング情報を送信する代わりに、要求された情報は与えられないという意味のメッセージをＧＭＳＣ　Ｐに送信します。ＧＭＳＣ　Ｐは、許可が無いため、移動局の位置は決定されないという意味のメッセージをモバイルロケーションノードＭＰＣへ送信します。
　
その後、モバイルロケーションノードＭＰＣは、ステップＢ７のように、この要求について許可が無いため、移動局の位置は明かすことが出来ないという意味のメッセージを他者Ａ２へ送信します。
　
　
　以上、引用例の記載事項（ア）〜（エ）によると、上記引用例に記載の「モバイルロケーティングノードＭＰＣ」は、他者Ａ２から、ユーザーＡ１の移動局ＭＳの位置に関する情報を要求する位置発見要求Ｍ１を受信すると、ＧＭＳＣ（ゲートウェイ移動交換センター）Ｐ経由でモバイル交換センターＭＳＣに、該ＭＳＣが移動局ＭＳに関する位置データを集め、それをＭＰＣに送るようにすることを目的とするコマンドＫ１を送信することが記載されている。
　
　また、上記引用例に記載の「ＧＭＳＣ（ゲートウェイ移動交換センター）Ｐ」は、前記コマンドＫ１を受信すると、ホームロケーションレジスタＨＬＲにルーティング情報を要求し、当該ＨＬＲはその要求を受け取ると、ＨＬＲに格納されている指標Ｉを読み込み、もしその指標Ｉが、前記移動局ＭＳの地理的位置を明かすことを許可する状態を示すものであれば、要求されたルーティング情報を前記ＧＭＳＣ　Ｐに与え、当該ＧＭＳＣ　Ｐは当該ルーティング情報を受けると、前記コマンドＫ１をモバイル交換センターＭＳＣに送信することが記載されている。
　　
　また、上記引用例に記載の「モバイル交換センターＭＳＣ」は、前記コマンドＫ１を受信すると、移動局ＭＳに関する位置データを集め始め、そして、集めた位置データを前記モバイルロケーティングノードＭＰＣに送信することが記載されている。そして、該ＭＰＣは受信した位置データを基に移動局ＭＳの位置を明確化し、メッセージＭ２によって他者Ａ２にその結果を提示することが記載されている。
　
　したがって、上記引用例には、ユーザーＡ１の移動局ＭＳについて、以下の発明（以下、「引用発明」という。）が記載されている。
　
　「移動通信システムＧＳＭを経てＧＭＳＣ（ゲートウェイ移動交換センター）ＰにコードＣＤを送信するユーザーＡ１の移動局ＭＳにおいて、
　前記ＧＭＳＣ　Ｐから、当該ユーザーＡ１の移動局ＭＳの位置に関する情報を他者Ａ２に提示するための位置データを集めてモバイルロケーティングノードＭＰＣに送信するモバイル交換センターＭＳＣに対して、前記移動局ＭＳの位置に関する情報を要求するコマンドＫ１を送信することを許可する状態を示す指標Ｉを設定するコードＣＤを、前記ＧＭＳＣ　Ｐに送信する、ユーザーＡ１の移動局ＭＳ。」
　
３．対比
　　
　そこで、本願発明と上記引用発明とを対比する。
　
　引用発明に記載された「移動通信システムＧＳＭ」、「ユーザーＡ１の移動局ＭＳ」及び「位置データ」は、それぞれ本願発明における「通信システム」、「ユーザ装置」及び「データ」に相当する。
　
　引用発明に記載された「コードＣＤ」は、移動局ＭＳの位置に関する情報の提供に対する要求であるコマンドＫ１を送信することを許可する状態を示す指標Ｉを設定するメッセージであるから、本願発明における、ユーザ装置の位置に関する情報の提供に対する要求を送信することを許可する「メッセージ」に相当する。
　
　引用発明に記載された「モバイル交換センターＭＳＣ」は、ユーザーＡ１の移動局ＭＳの位置に関する情報を他者Ａ２に提示するための位置データを集めることから、本願発明における、ユーザ装置の位置に関する情報の提供のために必要とされるデータを収集する「位置サービスサーバ」に相当する。
　
　引用発明に記載された「ＧＭＳＣ（ゲートウェイ移動交換センター）Ｐ」は、ユーザーＡ１の移動局ＭＳからコードＣＤの送信を受けるものであって、モバイル交換センターＭＳＣに対して、移動局ＭＳの位置に関する情報の提供に対する要求であるコマンドＫ１を送信するものであるから、本願発明における、ユーザ装置と通信するものであって、位置サービスサーバに対してユーザ装置の位置に関する情報の提供に対する要求を送信する「位置ミドルウェアサーバ」に相当する。
　
　したがって、本願発明と引用発明は、以下の点で一致ないし相違する。
　　
＜一致点＞
　「通信システムを経て位置ミドルウェアサーバと通信するためのユーザ装置であって、
　前記位置ミドルウェアサーバから該ユーザ装置の位置に関する情報の提供のために必要とされるデータを収集する位置サービスサーバに対して、該ユーザ装置の位置に関する情報の提供に対する要求を送信することを許可するメッセージを、前記位置ミドルウェアサーバに送信する、ように構成されている、ことを特徴とするユーザ装置。」
　　
＜相違点＞
　相違点１
　ユーザ装置は、本願発明では、該ユーザ装置の位置に関する情報の提供に対する要求に関連したメッセージを受信して処理するのに対し、引用発明では、該ユーザ装置の位置に関する情報の提供に対する要求に関連したメッセージは、コマンドＫ１としてモバイル交換センターＭＳＣ（位置サービスサーバ）が受信して、データを収集する処理を行うものの、ユーザ装置がそのようなメッセージを受信して処理するとの記載がない点。
　
　相違点２
　位置サービスサーバは、本願発明では、データを収集して記憶するのに対し、引用発明では、データを収集するものの、記憶するとの記載がない点。
　　
４．当審の判断
　　
　上記相違点について検討する。
　
　相違点１について
　国際公開第９９／４３１７３号（以下、「周知例１」という。）には、図面とともに、以下の事項（オ）〜（カ）が記載されている。
　
（オ）
「次に、図９の制御シーケンス図を使用し、図１に示す通信システム１０の動作をさらに説明する。端末機１１は、ステップＳＴ１１１で、端末機１２の位置情報を取得するための操作が行われると、ステップＳＴ１１２で、サービスセンタ１３に端末機１２の電話番号Ｓ１１を送信する。この電話番号Ｓ１１の送信は、例えばＤＴＭＦ信号で行われる。
　サービスセンタ１３は、端末機１２の電話番号Ｓ１１を受信すると、ステップＳＴ１３１で、セキュリティチェックをする。すなわち、サービスセンタ１３には上述せずも位置情報の送信を許可する端末装置が予め登録されており、サービスセンタ１３は、端末機１１が登録されている端末装置に含まれているか否かを確認する。端末機１１が位置情報の送信を許可する端末装置でないときは、以後の動作は行われず、結果的にサービスセンタ１３より端末機１１には端末機１２の位置情報Ｓ１４は送信されなくなる。
　端末機１１が位置情報の送信を許可する端末装置であるとき、サービスセンタ１３は、ステップＳＴ１３２で、端末機１１より送信された端末機１２の電話番号を使用して、端末機１２に基地局識別情報群の要求信号Ｓ１２を送信する。この要求信号Ｓ１２の送信は、例えばＤＴＭＦ信号で行われる。端末機１２は、基地局識別情報群の要求信号Ｓ１２を受信すると、ステップＳＴ１２１で、サーチ動作をして基地局識別情報群（ＣＳ−ＩＤ群）Ｓ１３を得る。すなわち、端末機１２は、利用可能な公衆基地局の制御チャネルを順次受信し、受信信号強度が上位所定数に入る制御チャネルに係るＣＳ−ＩＤを基地局識別情報群Ｓ１３とする。」（第１４頁第２３行〜第１５頁第１３行）
　
（カ）
「端末機１２は、ステップＳＴ１２１で基地局識別情報群Ｓ１３を得た後、ステップＳＴ１２２で、その基地局識別情報群Ｓ１３をサービスセンタ１３に送信する。この基地局識別情報群Ｓ１３の送信は、例えばＤＴＭＦ信号で行われる。
　サービスセンタ１３は、基地局識別情報群Ｓ１３を受信すると、ステップＳＴ１３３で、その基地局識別情報群Ｓ１３に対応する位置情報Ｓ１４を得る。この場合、基地局識別情報群Ｓ１３と、サービスセンタ１３の上述したメモリ手段に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する位置情報を得るようにする。この位置情報Ｓ１４は端末機１２の位置情報であり、サービスセンタ１３は、ステップＳＴ１３４で、この位置情報Ｓ１４を端末機１１に送信する。この位置情報Ｓ１４の送信は、例えばＤＴＭＦ信号で行われる。
　端末機１１は、端末機１２の位置情報Ｓ１４を受信すると、ステップＳＴ１１３で、表示部１１６に、その位置情報Ｓ１４で示される位置を表示する。これにより、端末機１１の携帯者は、任意の位置にある端末機１２の位置を確認できることとなる。」（第１５頁第１８行〜第１６頁第４行）
　
　また、特開２０００−１９４９９３号公報（以下、「周知例２」という。）には、図面とともに、以下の事項（キ）〜（ク）が記載されている。
　
（キ）
「【００１３】次に、本形態の作用を説明する。最初に、図３を参照して車両位置情報のリクエストの動作から説明する。端末接続部２２と接続した端末５０から、端末ＩＤと車両ＩＤを指定してその位置情報提供のリクエストが行なわれると、受付サーバ２４でその受付が行われる。受付サーバ２４では、リクエストを受信するとその旨のフラグがオンとなる（ステップＳ１０のＹ）。そして、リクエストを行った端末５０が登録されているかどうかが、端末登録テーブル２５を参照して判断される。そして、登録されている場合には（ステップＳ１２のＹ）、接続許可テーブル２６の該当する車両ＩＤの許可内容が参照される（ステップＳ１４）。そして、リクエストを行った端末５０について接続許可されているかどうかが受付サーバ２４で判断される（ステップＳ１６）。その結果、許可されているときは、接続許可フラグがオンにセットされる（ステップＳ１８）。」（第３頁第４欄）
　
（ク）
「【００１５】このような受付サーバ２４の接続許可フラグは、車両位置取得サーバ３２で参照される。すると車両位置取得サーバ３２では、図４に示す動作が行われる（ステップＳ２０のＹ）。まず、電話接続部３４によって、該当するＩＤの車両に電話をかけ、該当する車両１０の移動電話１８と接続する（ステップＳ２２）。車両１０では、センタ２０からのリクエストが通話制御部１６を介してナビゲーション装置１４に伝達される。ナビゲーション装置１４では、ＧＰＳ１２を使用して自己の位置が計測される。計測結果は、通話制御部１６，移動電話１８を介してセンタ２０に送信される。センタ２０では、計測された位置情報が、電話接続部３４を介して車両位置取得サーバ３２で取得され（ステップＳ２４）、更にその旨が受付サーバ２４に伝達される。
【００１６】受付サーバ２４では、リクエストを送信した端末５０が地図情報を持っているかどうかが判定される（ステップＳ２６）。この判断は、
＜１＞端末５０からの送信信号に基づいて判定する，
＜２＞端末接続部２２を通じて端末５０側に問い合わせる，
＜３＞端末登録テーブル２５に、各登録端末が地図情報を持っているかどうかの情報を予め用意し、それを参照する，
などの適宜の方法で行われる。
【００１７】その結果、例えば、図５（Ａ）に示すように端末５０がパソコンやテレビ電話などであって、地図表示は可能であるが地図情報は持っていない場合は（ステップＳ２６のＮ）、地図情報サーバ３０によって地図データベース２８から対応する地図情報が読み出される（ステップＳ２８）。そして、受付サーバ２４では、取得した車両の位置情報と、対応する地図情報とが合成され（ステップＳ３０）、更に送信フラグがオンとなる（ステップＳ３２）。そして、合成後の情報が端末接続部２２を介してリクエストを行った端末５０に送信される。端末５０では、パソコンやテレビ電話のディスプレイに、地図とともに該当する車両の位置が表示される。端末５０がナビゲーション装置を備えている場合でも、対応する地図情報がないときは、同様に合成情報が端末５０に送信される。」（第３頁第４欄〜第４頁第５欄：なお、上記記載事項（ク）における「＜＞」で括った数字は、白抜き○印に数字。）
　
　すなわち、上記周知例１及び周知例２に記載されるように、移動局の位置に関する情報を要求する通信システムの技術において、移動局が要求された位置情報に関する情報を提供するため、位置情報の要求に関連したメッセージ（要求信号や位置情報提供のリクエスト）を受信して処理することは、周知技術である。
　そして、引用発明に記載されたユーザ装置（ユーザーＡ１の移動局ＭＳ）において、当該ユーザ装置の位置に関する情報を提供するため、上記周知技術を適用し、本願発明と同様に、ユーザ装置が当該ユーザ装置の位置に関する情報の提供に対する要求に関連したメッセージを受信して処理する構成とすることは、当業者が容易になし得ることである。
　
　相違点２について
　引用発明に記載された位置サービスサーバ（モバイル交換センターＭＳＣ）は、ユーザ装置の位置に関する情報の提供のために必要とされるデータを収集して、それをモバイルロケーティングノードＭＰＣに送信するものである。そして一般に、データを送信する技術として、データを収集して送信する際、当該収集したデータを一時的に蓄積して、蓄積したデータを送信するようにすることは、当業者が必要に応じて設計し得る程度のことであるから、引用発明に記載された、データを収集する位置サービスサーバ（モバイル交換センターＭＳＣ）において、収集したデータを一時的に蓄積することで、本願発明と同様に、データを収集して記憶する構成とすることは、当業者が適宜なし得ることである。
　　
　そして、本願発明のように構成したことによる効果も、上記引用発明及び周知技術から予測できる程度のものである。
　　　
５．むすび
　　
　以上のとおり　本願発明（本願の請求項２０に係る発明）は、上記引用発明及び周知技術に基づいて、当業者が容易に発明をすることができたものであるから、特許法第２９条第２項の規定により特許を受けることができない。
　
　したがって、本願は、他の請求項について論及するまでもなく、拒絶すべきものである。
　　
　よって結論のとおり審決する。